(57)【要約】      （修正有）【課題】簡単な構造で着脱が容易なタブレット型情報端末用のホルダーを提供する。【解決手段】タブレット型情報端末用のホルダー１−１であって、表面が、タブレット型情報端末の裏面に接触したまま壁に固定するためのネジ孔１１ａが形成された基板２−１と、基板の上側の縁に設けられ、タブレット型情報端末の前面の上側の縁部を保持する少なくとも１つのΓ字断面形状の上側爪部３−１と、基板の下側の縁にタブレット型情報端末の向きもしくはサイズに合わせて着脱自在に設けられ、タブレット型情報端末の前面の下側の縁部を保持する複数のＬ字断面形状の下側爪部７−１ａ、７−１ｂと、を備えた。【選択図】図１
0003184106.tif 000002
【実用新案登録請求の範囲】
【請求項１】
タブレット型情報端末用のホルダーであって、
表面が、前記タブレット型情報端末の裏面に接触したまま壁に固定するためのネジ孔が形成された基板と、
前記基板の上側の縁に設けられ、前記タブレット型情報端末の前面の上側の縁部を保持する少なくとも１つのΓ字断面形状の上側爪部と、
前記基板の下側の縁に前記タブレット型情報端末の向きもしくはサイズに合わせて着脱自在に設けられ、前記タブレット型情報端末の前面の下側の縁部を保持する複数のＬ字断面形状の下側爪部と、
を備えたことを特徴とするホルダー。
【請求項２】
前記上側爪部もしくは前記下側爪部は、前記基板に形成されて前記タブレット型情報端末の向きもしくはサイズに対応する複数のネジ孔にネジ留めされることを特徴とする請求項１記載のホルダー。
【請求項３】
前記タブレット型情報端末を、卓上にて斜めに保持するための支持部材が前記基板の裏面に設けられていることを特徴とする請求項１記載のホルダー。
【請求項４】
前記基板、上側爪部、及び下側爪部の材質は、樹脂、金属、もしくは木材であることを特徴とする請求項１から３の何れか一項記載のホルダー。
【考案の詳細な説明】
【技術分野】
【０００１】
本考案は、ホルダーに関し、特にタブレット型情報端末用のホルダーに関する。
【背景技術】
【０００２】
例えば、エレクトロニクスショーやビジネスシヨウ等の展示会において、タブレット型情報端末を展示する場合、ブース内のテーブルや台の上に水平に配置することがある。この場合、タブレット型情報端末は目の高さより低い位置となるため、見学者が取り囲んだ場合見ることができる人数は限られてしまう。特に新製品の発表の場合は混雑するので１人当たりの見学時間が減少してしまう。
【０００３】
そこで、タブレット型情報端末を見ることができる人の数を増やすため、展示会場のブースの壁やパネルに掛けて展示することが考えられる。
ここで、薄型のテレビジョン受像器を壁に掛けるホルダーが開発されている（例えば、特許文献１参照。）。
【先行技術文献】
【特許文献】
【０００４】
【特許文献１】特開２００７−６５５１０号公報
【０００５】
特許文献１に記載の発明は、「壁掛け式平面ディスプレイ取付け装置」に関するものであり、具体的には、平面ディスプレイを取付けるべき壁面に固定されるベース、平面ディスプレイを背面側から支持するホルダー、並びにベースの正面側にホルダーを支持する不等長の主アーム及び副アームを備える。ホルダーは、平面ディスプレイを掛け止めする掛け止め部がホルダー本体に対して着脱可能であり、且つ上下反転させて取付け可能な組み立て構造を有するものである。
【考案の概要】
【考案が解決しようとする課題】
【０００６】
しかしながら、特許文献１に記載の発明は、平面ディスプレイをコーナー部に略４５度傾けて左右均等な対称状態に設置することを目的とするものである。そのため、展示会の会期中だけ一時的に壁に垂直にかけるためには構造が複雑となり、取り付けや取り外しが容易ではなく、製造コストもかかるという問題がある。
【０００７】
本考案は、上記課題に鑑みてなされたもので、簡単な構造で着脱が容易なタブレット型情報端末用のホルダーの提供を目的とする。
【課題を解決するための手段】
【０００８】
かかる目的を達成するために、本考案の請求項１に記載の考案は、タブレット型情報端末用のホルダーであって、表面が、前記タブレット型情報端末の裏面に接触したまま壁に固定するためのネジ孔が形成された基板と、前記基板の上側の縁に設けられ、前記タブレット型情報端末の前面の上側の縁部を保持する少なくとも１つのΓ字断面形状の上側爪部と、前記基板の下側の縁に前記タブレット型情報端末の向きもしくはサイズに合わせて着脱自在に設けられ、前記タブレット型情報端末の前面の下側の縁部を保持する複数のＬ字断面形状の下側爪部と、を備えたことを特徴とする。
【０００９】
請求項２に記載の考案は、請求項１に記載の考案において、前記上側爪部もしくは前記下側爪部は、前記基板に形成されて前記タブレット型情報端末の向きもしくはサイズに対応する複数のネジ孔にネジ留めされることを特徴とする。
【００１０】
請求項３に記載の考案は、請求項１に記載の考案において、前記タブレット型情報端末を、卓上にて斜めに保持するための支持部材が前記基板の裏面に設けられていることを特徴とする。
【００１１】
請求項４に記載の考案は、請求項１から３の何れか一項に記載の考案において、前記基板、上側爪部、及び下側爪部の材質は、樹脂、金属、もしくは木材であることを特徴とする。
【考案の効果】
【００１２】
本考案によれば、簡単な構造で着脱が容易なブレット型情報端末用のホルダーの提供が実現できる。
【図面の簡単な説明】
【００１３】
【図１】（ａ）は、一実施形態に係るホルダーの正面図であり、（ｂ）は、（ａ）の右側面図である。
【図２】図１（ａ）、（ｂ）に示したホルダー１−１の使用方法及び作用効果を説明するための説明図である。
【図３】図１（ａ）、（ｂ）に示したホルダー１−１の使用方法及び作用効果を説明するための説明図である。
【図４】図１（ａ）、（ｂ）に示したホルダー１−１の使用方法及び作用効果を説明するための説明図である。
【図５】図１（ａ）、（ｂ）に示したホルダー１−１の使用方法及び作用効果を説明するための説明図である。
【図６】（ａ）、（ｂ）は、図１（ａ）、（ｂ）に示したホルダー１−１の変形例である。
【図７】（ａ）は、他の実施形態に係るホルダーの正面図であり、（ｂ）は、（ａ）の右側面図である。
【図８】（ａ）は、他の実施形態に係るホルダーの正面図であり、（ｂ）は、（ａ）の右側面図である。
【考案を実施するための形態】
【００１４】
次に実施形態について図面を参照して説明する。
［実施形態１］
＜構  成＞
図１（ａ）は、一実施形態に係るホルダーの正面図であり、図１（ｂ）は、図１（ａ）の右側面図である。以下、図１（ａ）、（ｂ）と同様の部材には共通の符号を用いた。
本実施形態に係るホルダー１−１は、例えば、タブレット型情報端末を壁やパネルに掲示するためのホルダーであって、基板２−１と、上側爪部３−１と、複数（図では２個であるが限定されない）の着脱自在な下側爪部７−１ａ、７−１ｂと、を有する。
基板２−１、上側爪部３−１、及び下側爪部７−１ａ、７−１ｂの材質は、例えばアクリルが限定されるものではなく、樹脂、金属、木材のいずれを用いてもよい。
【００１５】
基板２−１は、表面が、図には示さないタブレット型情報端末の裏面に接触したまま破線で示すネジ１５ａ、１５ｂで壁３０に固定するためのネジ孔１１ａ、１１ｂが形成された板状の部材である。
上側爪部３−１は、基板２−１の上側の縁に設けられ、タブレット型情報端末の前面の上側の縁部を保持する少なくとも１つのΓ字断面形状（図では逆Γ字断面形状となっている）の部材である。
【００１６】
但し、本明細書ではギリシャ文字「Γ（ガンマ）」はゴシック体のような跳ねの無い文字ではなく、跳ねの有る明朝体の「Γ」を言う。
下側爪部７−１ａ、７−１ｂは、基板２−１の下側の縁にタブレット型情報端末の向きもしくはサイズに合わせて着脱自在に設けられ、タブレット型情報端末の前面の下側の縁部を保持する複数（図では２個であるが限定されない。）のＬ字断面形状の部材である。
【００１７】
但し、本明細書ではアルファベット「Ｌ（エル）」はゴシック体のような跳ねの無い文字ではなく、跳ねの有る明朝体の「Ｌ」を言う。
【００１８】
基板２−１は、台形形状に形成されており中央の上端及び下端にはネジ孔１１ａ、１１ｂが形成されている。
基板２−１の上端には、基板２−１に固定され基板２−１と相似形の爪部材６−１、爪部材６−１の上端に水平に固定された矩形状の爪部材５−１、及び爪部材５−１の先端の下側に固定された四角柱状の爪部材４−１からなるΓ字断面形状の上側爪部３−１が形成されている。上側爪部３−１の各部材は、隣接する面が例えば接着剤で固定されているが、ネジ留めでもよい。
【００１９】
基板２−１の下端左側には、平行四辺形形状に形成され基板２−１に形成されたネジ孔にネジ１３ａ、１３ｂで取り付けられた爪部材８−１ａ、爪部材８−１ａの下端に水平に固定された平行四辺形形状の爪部材９−１ａ、及び爪部材９−１ａの先端の上側に固定された四角柱状の爪部材１０−１ａからなるＬ字断面形状の下側爪部７−１ａが固定されている。
【００２０】
基板２−１の下端右側には、形形状に形成され基板２−１に形成されたネジ孔にネジ１３ｃ、１３ｄで取り付けられた爪部材８−１ｂ、爪部材８−１ｂの下端に水平に固定された平行四辺形形状の爪部材９−１ｂ、及び爪部材９−１ｂの先端の上側に固定された四角柱状の爪部材１０−１ｂからなるＬ字断面形状の下側爪部７−１ｂが固定されている。
【００２１】
下側爪部７−１ａ、７−１ｂの各部材の隣接する面は、例えば接着剤で固定されているが、ネジ留めでもよい。
【００２２】
基板２−１の両側の下側爪部７−１ａ、７−１ｂの上側には、ネジ１３ａ、１３ｂ、１３ｃ、１３ｄ用のネジ孔に加え、ネジ孔１２ａ、１２ｂ、１２ｃ、１２ｄが形成されている。
これらのネジ孔１２ａ、１２ｂ、１２ｃ、１２ｄは、後述する下側爪部７−１ａ、７−１ｂの取り付け位置を変更するためのネジ孔である。
【００２３】
＜使用方法及び作用効果＞
図２〜図５は、図１（ａ）、（ｂ）に示したホルダー１−１の使用方法及び作用効果を説明するための説明図である。
図２に示すように開場前の展示場の壁もしくはパネル（いずれも省略）にネジ１５ａ、１５ｂでホルダー１−１が取り付けられているものとする。係員２１が展示対象物としてのタブレット型情報端末２０を用意する。
【００２４】
図３に示すように係員２１がタブレット型情報端末２０を持ったままホルダー１−１の上側爪部３−１と、下側爪部７−１ａ、７−１ｂとの間を通るように壁もしくはパネルに沿って横から挿入する。
【００２５】
図４に示すように係員２１がタブレット型情報端末２０をホルダー１−１の上側爪部３−１がタブレット型情報端末２０の上辺の中央に位置するようにタブレット型情報端末２０を移動させることでタブレット型情報端末２０のホルダー１−１への取り付けが終了する。尚、配線コード等は省略されている。
【００２６】
図５に示すようにタブレット型情報端末２０がホルダー１−１に取り付けが終了した状態で見学者２２が来場した場合、壁（もしくはパネル）３０にはタブレット型情報端末２０とホルダー１−１の上側爪部材３−１、下側爪部材７−１ａ、７−１ｂだけしか見学者２２には見えていない。
【００２７】
タブレット型情報端末２０の展示終了後は、タブレット型情報端末２０を壁（もしくはパネル）３０に沿って横方向に移動することにより、タブレット型情報端末２０を取り外すことができる。
展示会の終了時にはネジ１５ａ、１５ｂを外すことで、ホルダー１−１を壁（もしくはパネル）３０から取り外すことができる。取り外されたホルダー１−１は、再度使用することができるのは言うまでもない。
【００２８】
以上において、本実施形態によれば、ホルダー１−１が基板２−１と、上側爪部３−１と、複数（図では２個であるが限定されない）の下側爪部７−１ａ、７−１ｂとで構成されているので、簡単な構造で着脱が容易なブレット型情報端末用のホルダーの提供が実現できる。
【００２９】
［変形例］
図６（ａ）、（ｂ）は、図１（ａ）、（ｂ）に示したホルダー１−１の変形例である。
図６（ａ）、（ｂ）に示したホルダー１−１ａの図１（ａ）、（ｂ）に示した実施形態との相違点は、下側爪部７−１ａ、７−１ｂを基板２−１の上側に取り付けた点である。
【００３０】
すなわち、図６（ａ）、（ｂ）に示したホルダー１−１ａは、下側爪部７−１ａが基板２−１のネジ孔１２ａ、１２ｂにネジ１３ａ、１３ｂで取り付けられており、下側爪部７−１ｂが基板２−１のネジ孔１２ｃ、１２ｂにネジ１３ｃ、１３ｄで取り付けられている。このように下側爪部７−１ａ、７−１ｂを移動させることにより、図１（ａ）、（ｂ）に示したホルダー１−１用のタブレット型情報端末２０より小型サイズもしくはタブレット型情報端末２０を横向きに展示することができる。
【００３１】
［実施形態２］
図７（ａ）は、他の実施形態に係るホルダーの正面図であり、図７（ｂ）は、図７（ａ）の右側面図である。
図７（ａ）、（ｂ）に示した実施の形態の図１（ａ）、（ｂ）に示した実施の形態との相違点は、図１（ａ）、（ｂ）に示したホルダー１−１の外形的特徴がＡ字形状であるのに対し、図７（ａ）、（ｂ）に示したホルダー１−２の外形的特徴がＸ字形状である点である。
【００３２】
図７（ａ）、（ｂ）に示したホルダー１−２は、基板２−２と、基板２−２の上側に着脱自在に設けられた複数（図では２個であるが限定されない。）の上側爪部３−２ａ、３−２ｂと、基板２−２の下側に着脱自在に設けられた複数の下側爪部７−２ａ、７−２ｂと、を有する。
【００３３】
ホルダー１−２における上側爪部３−２ａは、基板２−２の上部にネジ１３ｅ、１３ｆで着脱自在に取り付けられる平行四辺形形状の爪部材６−２ａ、爪部材６−２ａの上側の先端に水平に固定される平行四辺形形状の爪部材５−２ａ、及び爪部材５−２ａの先端の下側に固定される四角柱形状の爪部材４−２ａを有する。各爪部材４−２ａ、５−２ａ、６−２ａは隣接する面が接着剤で固定される。
【００３４】
ホルダー１−２における上側爪部３−２ｂは、基板２−２の上部にネジ１３ｇ、１３ｈで着脱自在に取り付けられる平行四辺形形状の爪部材６−２ｂ、爪部材６−２ｂの上側の先端に水平に固定される平行四辺形形状の爪部材５−２ｂ、及び爪部材５−２ｂの先端の下側に固定される四角柱形状の爪部材４−２ｂを有する。各爪部材４−２ｂ、５−２ｂ、６−２ｂは隣接する面が接着剤で固定される。
【００３５】
ホルダー１−２における下側爪部７−２ａ、７−２ｂは、実施形態１のホルダー１−１の下側爪部７−１ａ、７−１ｂと同様の構造のため、説明を省略する。
【００３６】
図７（ａ）、（ｂ）に示したホルダー１−２も図１（ａ）、（ｂ）に示したホルダー１−１と同様の効果が得られるが、図１（ａ）、（ｂ）に示したホルダー１−１用のタブレット型情報端末２０より大きなサイズに用いることができる。
【００３７】
［実施形態３］
図８（ａ）は、他の実施形態に係るホルダーの正面図であり、図８（ｂ）は、図８（ａ）の右側面図である。
図８（ａ）、（ｂ）に示した実施形態の図１（ａ）、（ｂ）に示した実施の形態との相違点は、図１（ａ）、（ｂ）に示したホルダー１−１の外形的特徴がＡ字形状であるのに対し、図８（ａ）、（ｂ）に示したホルダー１−３の外形的特徴がＨ字形状である点である。
【００３８】
ホルダー１−３における上側爪部３−３ａは、矩形状の基板２−３の左上側に固定された矩形状の爪部材６−３ａ、爪部材６−３ａの先端に水平に固定された矩形状の爪部材５−３ａ、及び爪部材５−３ａの先端部の下面に固定された四角柱状の爪部材４−３ａを有する。爪部材６−３ａ、５−３ａ、４−３ａは、例えば、隣接する面が接着剤で固定されているが、ネジ留めされていてもよい。
【００３９】
ホルダー１−３における上側爪部３−３ｂは、矩形状の基板２−３の右上側に固定された矩形状の爪部材６−３ｂ、爪部材６−３ｂの先端に水平に固定された矩形状の爪部材５−３ｂ、及び爪部材５−３ｂの先端部の下面に固定された四角柱状の爪部材４−３ｂを有する。爪部材６−３ｂ、５−３ｂ、４−３ｂは、例えば、隣接する面が接着剤で固定されているが、ネジ留めされていてもよい。
【００４０】
ホルダー１−３における下側爪部７−３ａは、基板２−３の左下側にネジ１３ａ、１３ｂで着脱自在に取り付けられた矩形状の爪部材８−３ａ、爪部材８−３ａの下端に水平に固定された矩形状の爪部材９−３ａ、及び爪部材９−３ａの先端部の上側に固定された爪部材１０−３ａを有する。爪部材８−３ａ、９−３ａ、１０−３ａは、例えば、隣接する面が接着剤で固定されているが、ネジ留めされていてもよい。
【００４１】
ホルダー１−３における下側爪部７−３ｂは、基板２−３の右下側にネジ１３ｃ、１３ｄで着脱自在に取り付けられた矩形状の爪部材８−３ｂ、爪部材８−３ｂの下端に水平に固定された矩形状の爪部材９−３ｂ、及び爪部材９−３ｂの先端部の上側に固定された爪部材１０−３ｂを有する。爪部材８−３ｂ、９−３ｂ、１０−３ｂは、例えば、隣接する面が接着剤で固定されているが、ネジ留めされていてもよい。
【００４２】
図８（ａ）、（ｂ）に示したホルダー１−３も図１（ａ）、（ｂ）に示したホルダー１−１と同様の効果が得られるが、図１（ａ）、（ｂ）に示したホルダー１−１用のタブレット型情報端末２０より大きなサイズに用いることができる。
【００４３】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
【００４４】
例えば、上述した実施形態では上側爪部が基板に固定されているホルダー１−１、１−３の上側爪部を基板にネジ留めして位置を変更できるように構成してもよく、逆に下側爪部を固定するように構成してもよい。さらに上側爪部及び下側爪部の数を３個以上としてもよい。すなわち、ホルダーの外形形状がＡ、Ｘ、Ｈに限定されず、Ｍ、Ｗやロシア文字のジェーであってもよい。
【符号の説明】
【００４５】
１−１、１−２、１−２ａ、１−３    ホルダー
２−１、２−２、２−３    基板
３−１、３−２ａ、３−２ｂ、３−３ａ、３−３ｂ    上側爪部
７−１ａ、７−１ｂ、７−２ａ、７−２ｂ、７−３ａ、７−３ｂ    下側爪部
１１ａ、１１ｂ、１２ａ、１２ｂ、１２ｃ、１２ｄ、１２ｅ、１２ｆ、１２ｇ、１２ｈ    ネジ孔
１３ａ、１３ｂ、１３ｃ、１３ｄ、１５ａ、１５ｂ    ネジ
２０    タブレット型情報端末
２１    係員
２２    見学者
３０    壁（もしくはパネル）
【図１】
0003184106.tif 000003
【図２】
0003184106.tif 000004
【図３】
0003184106.tif 000005
【図４】
0003184106.tif 000006
【図５】
0003184106.tif 000007
【図６】
0003184106.tif 000008
【図７】
0003184106.tif 000009
【図８】
0003184106.tif 000010